(57)【要約】【課題】簡単な構造で且つ組付容易に板バネを軸受けに組み付ける事ができる軸受け支持構造を提供する。【解決手段】この軸受け支持構造は、回転自在に設けられた回転軸１８ａと、その外周にフランジ部７１ｂが突出形成され、その内部に回転軸１８ａが回転自在に挿通される筒状の軸受け７１と、その一端側７２ｅが軸受け７１を着脱自在に巻き込む様に曲成されると共に、その一端側７２ｅに軸受け７１のフランジ部７１ｂが嵌合するスリット７２ｈが形成された板バネ７２とを備え、回転軸８ａと軸受け７１と板バネ７２とが電気的に導通されている。【選択図】図５
2007276954.tif 000002
【特許請求の範囲】
【請求項１】
回転自在に設けられた回転軸と、
その外周にフランジ部が突出形成され、その内部に前記回転軸が回転自在に挿通される筒状の軸受けと、
その一端側が前記軸受けを着脱自在に巻き込む様に曲成されると共に、その一端側に前記軸受けの前記フランジ部が嵌合するスリットが形成された板バネと、
を備え、前記回転軸と前記軸受けと前記板バネとが電気的に導通されていることを特徴とする軸受け支持構造。
【請求項２】
前記軸受けは、導電性部材により形成されることを特徴とする請求項１に記載の軸受け支持構造。
【請求項３】
請求項１または請求項２に記載の軸受け支持構造を用いた自動原稿搬送装置であって、
前記回転軸は、原稿を一枚ずつ給紙するためのセパレートローラが装着されたセパレートローラ回転軸であり、
回転自在に配設された前記セパレートローラ回転軸と、
回転自在に配設され、前記セパレートローラにより給紙された原稿を搬送する搬送ローラに圧接して従動回転するプレスローラが装着されたプレスローラ回転軸と、
前記セパレートローラ回転軸に装着された前記軸受けと、
その一端側が前記軸受け支持構造に基づいて前記軸受けに組み付けられると共に、その他端側が前記プレスローラ回転軸に導電状に当接する様に配設された前記板バネと、
を備えることを特徴とする自動原稿搬送装置。
【発明の詳細な説明】
【技術分野】
【０００１】
本発明は、コピー機やファクシミリ装置等の自動原稿搬送装置に適用可能な軸受け支持構造、およびそれを用いた自動原稿搬送装置に関する。
【背景技術】
【０００２】
従来よりこの種の自動原稿搬送装置では、金属性（例えばＳＵＳ材）の板バネの一端側および他端側をそれぞれセパレートローラ回転軸およびプレスローラ回転軸に当接させることにより、板バネを介してセパレートローラ回転軸とプレスローラ回転軸との相互間の電気的導通を取っている。
【０００３】
その際、セパレートローラ回転軸は常に回転するため、そのセパレートローラ回転軸に板バネを直接当接させると、異音（こすれ音）が発生するため、導電性の軸受けを介して板バネとセパレートローラ回転軸とを当接させている。
【０００４】
より詳細には、軸受けがセパレートローラ回転軸の軸方向に移動しない様に、セパレートローラ回転軸にＥリング溝を間隔をあけて２つ設け、各溝間に軸受けを配置して、各溝にＥリングを填めることで、それらＥリングにより軸受けの軸方向の移動を規制している。
【０００５】
尚、この様な軸受け支持構造に関連する先行技術として特許文献１が知られている。
【０００６】
【特許文献１】特開２００４−６７３７４号公報
【発明の開示】
【発明が解決しようとする課題】
【０００７】
しかしながら、上記の様なＥリングを用いて軸受けの軸方向の移動を規制する構造では、構造が複雑となり（即ち部品数が増加し）、且つＥリングの組付作業に手間が掛かるので、コスト高になるという欠点がある。
【０００８】
そこで、この発明の課題は、簡単な構造で且つ組付容易に、軸受けの軸方向の移動を規制した状態で組み付ける事ができる軸受け支持構造を提供すると共に、その軸受け支持構造を用いた自動原稿搬送装置を提供することにある。
【課題を解決するための手段】
【０００９】
上記課題を解決する為に、請求項１に記載の軸受け支持構造は、回転自在に設けられた回転軸と、その外周にフランジ部が突出形成され、その内部に前記回転軸が回転自在に挿通される筒状の軸受けと、その一端側が前記軸受けを着脱自在に巻き込む様に曲成されると共に、その一端側に前記軸受けの前記フランジ部が嵌合するスリットが形成された板バネと、を備え、前記回転軸と前記軸受けと前記板バネとが電気的に導通されているものである。
【００１０】
請求項２に記載の軸受け支持構造は、前記軸受けは、導電性部材により形成されるものである。
【００１１】
請求項３に記載の自動原稿搬送装置は、請求項１または請求項２に記載の軸受け支持構造を用いた自動原稿搬送装置であって、前記回転軸は、原稿を一枚ずつ給紙するためのセパレートローラが装着されたセパレートローラ回転軸であり、回転自在に配設された前記セパレートローラ回転軸と、回転自在に配設され、前記セパレートローラにより給紙された原稿を搬送する搬送ローラに圧接して従動回転するプレスローラが装着されたプレスローラ回転軸と、前記セパレートローラ回転軸に装着された前記軸受けと、その一端側が前記軸受け支持構造に基づいて前記軸受けに組み付けられると共に、その他端側が前記プレスローラ回転軸に導電状に当接する様に配設された前記板バネと、を備えるものである。
【発明の効果】
【００１２】
請求項１に記載の発明によれば、回転自在に設けられた回転軸と、その外周にフランジ部が突出形成されその内部に前記回転軸が回転自在に挿通される筒状の軸受けと、その一端側が前記軸受けを着脱自在に巻き込む様に曲成されると共にその一端側に前記軸受けの前記フランジ部が嵌合するスリットが形成された板バネとを備えた構成なので、簡単な構造で且つ組付容易に、軸受けの軸方向の移動を規制した状態で板バネを軸受けに組み付ける事ができる。
【００１３】
また、回転軸と軸受けと板バネとが電気的に導通されているので、板バネと回転軸との相互間の電気的導通を確保できる。
【００１４】
請求項２に記載の発明によれば、軸受けは導通性部材により形成されるので、簡単な手法で軸受けに導通性能を持たす事ができて、板バネと回転軸との相互間の電気的導通を確保できる。
【００１５】
請求項３に記載の発明によれば、回転自在に配設され、原稿を一枚ずつ給紙するためのセパレートローラが装着されたセパレートローラ回転軸と、回転自在に配設され、前記セパレートローラにより給紙された原稿を搬送する搬送ローラに圧接して従動回転するプレスローラが装着されたプレスローラ回転軸と、前記セパレートローラ回転軸に装着された前記軸受けと、その一端側が前記軸受け支持構造に基づいて前記軸受けに組み付けられると共に、その他端側が前記プレスローラ回転軸に導電状に当接する様に配設された前記板バネとを備えた構成なので、上記同様、簡単な構造で且つ組付容易に軸受けの軸方向の移動を規制した状態で板バネを軸受けに組み付ける事ができると共に、板バネを介してセパレートローラ回転軸とプレスローラ回転軸との相互間の電気的導通を確保できる。
【発明を実施するための最良の形態】
【００１６】
図１は、本発明の実施の形態に係る軸受け支持構造を用いた自動原稿搬送装置を搭載したファクシミリ装置の斜視図である。
【００１７】
このファクシミリ装置１は、受信内容等を記憶する記録部２の上方に、送信内容等を読み取る読取部３が配置され、記録部２には記録装置（不図示）および給紙カセット４がそれぞれ上下に内装されており、給紙カセット４内に載置された用紙を前記記録装置へ給紙して、その用紙に前記記憶装置に記憶された受信内容等を記録して、その記録された用紙紙を記録紙排出トレイ５へ排出するように構成されている。
【００１８】
また、読取ケース７の上方には、その一辺を中心として開閉可能に構成される原稿押さえカバー９（図１参照）が配置され、該原稿押さえカバー９により静止原稿載置面６上に載置された原稿Ｄを上方から押さえる構造になっている。
【００１９】
また、原稿押さえカバー９の一端部上には、原稿Ｄを自動的に搬送する自動原稿搬送装置（ＡＤＦ装置）１０が設けられている。
【００２０】
また、読取ケース７の一側部にはキーパネル１５（図１参照）が付設され、該キーパネル１５の各種操作キーを操作することにより、原稿内容の読み取りを行ったり、読み取った内容をファクシミリ送信する際の送信先の設定を行ったり、受信内容や読み取った内容の記録装置３による記録を行ったりするように構成されている。
【００２１】
次に、読取部３は、図２の様に、上面６が透明状の静止原稿載置面として構成された読取ケース７内に読取装置８を収納しており、該静止原稿載置面６上に載置された原稿Ｄを該読取装置８により走査して、原稿Ｄの読み取りを行うように構成されている。ここでは、読取部３は、読取装置８を走査させて静止原稿Ｄを読み取るフラットベッドタイプのスキャナとして用いると共に、読取装置８を位置固定して原稿Ｄを給送しながら読み取りを行うシートフィードタイプのスキャナとして用いることができるように構成されている。
【００２２】
自動原稿搬送装置１０は、給紙装置１１と搬送装置１２とを備えており、原稿供給トレイ１３に載置した原稿Ｄを、給紙装置１１により一枚ずつピックアップして、搬送装置１２により静止原稿載置面６の一側部へ搬送し、読取装置８により原稿内容を読み取った後に、原稿押さえカバー９の上面に形成される原稿排出トレイ１４へ排出するように構成されている。
【００２３】
この自動原稿搬送装置１０は、原稿押さえカバー９の一端部上に配設されており、ケース５０と、ケース５０の外側面に配置された原稿供給トレイ１３と、ケース５０内に収容配設され、原稿供給トレイ１３上に載置された原稿Ｄを一枚ずつピックアップする給紙装置１１と、ケース５０内に収容配設され、給紙装置１１によりピックアップされた原稿Ｄを読取部３の原稿読取面３０上を通過する様に搬送し、原稿押さえカバー９の上面に形成された原稿排出トレイ１４に排出する搬送装置１２とを備える。
【００２４】
給紙装置１１は、回転駆動自在に配置されたセパレートローラ回転軸１８ａと、セパレートローラ回転軸１８ａに装着されたセパレートローラ１８と、セパレートローラ１８の両側方に位置されると共に、セパレートローラ回転軸１８ａに、その軸周りに相対回動自在で、かつ軸方向に移動規制状態に支持された１対のアーム部材１９，２０（図３参照）と、両アーム部材１９，２０の先端部間にわたって回転自在に支持されたピックアップローラ２１等で構成されている。なお、本実施の形態においては、両アーム部材１９，２０は側縁側に設けられた連結壁部２２によって互いに一体に連結されており、セパレートローラ回転軸１８ａの軸周りに回動可能な揺動ハウジング２３を構成している。
【００２５】
また、セパレートローラ回転軸１８ａには、図示省略のトーションバネが套嵌状に装着され、該トーションバネの一端部は、一方のアーム部材１９に係止し、他端部は自動原稿搬送装置１０のケース５０の後述のカバー部５０ｂ側に係止した構造とされている。そして、前記トーションバネは、揺動ハウジング２３を上向回動するように付勢しており、これによりピックアップローラ２１も一体的に上向回動するように付勢され、給紙装置１１の停止状態において、ピックアップローラ２１は図２の実線で示される上方位置で待機する待機状態とされている。また、セパレートローラ１８に対し、その下方に配置された分離パッド２５側が所定の圧力で圧接されている。
【００２６】
次に、搬送装置１２は、回転駆動自在に配置された搬送ローラ回転軸２７ａに装着された搬送ローラ２７と、それぞれ回転自在に配置されたプレスローラ回転軸２８ａ，２９ａに装着され、搬送ローラ２７と圧接して従動回転する第１プレスローラ２８および第２プレスローラ２９と、回転駆動自在に配置された回転軸３１ａに装着された排出ローラ３１と、回転自在に配置された回転軸３２ａに装着され、排出ローラ３１に圧接して従動回転する第３プレスローラ３２とを備える。各ローラ２８，２９，３２はケース５０側に配設されているが、排出ローラ３１は原稿押さえカバー９側に配設されている。
【００２７】
この自動原稿搬送装置１０では、原稿供給トレイ１３に原稿Ｄが載置されたことを図示省略の検出手段で検出されると、セパレートローラ回転軸１８ａが回転駆動される。セパレートローラ回転軸１８ａが回転駆動されると、セパレートローラ回転軸１８ａの回転に伴ってセパレートローラ１８が紙搬送方向に沿った図２の矢印方向に回転すると共に、前記トーションバネの付勢力に抗して揺動ハウジング２３が下向回動する。これに伴ってピックアップローラ２１も下向回動して原稿Ｄの上面に圧接される。
【００２８】
この原稿Ｄの上面に対するピックアップローラ２１の圧接により、ピックアップローラ２１の下向回動動作が停止され、その後、ピックアップローラ２１は紙搬送方向に沿った仮想線の矢印方向へ回転を開始する。そして、ピックアップローラ２１の回転により最上層の原稿Ｄがセパレートローラ１８と分離パッド２５との間に繰り出され、セパレートローラ１８の回転に伴って搬送経路２６の下流側へ搬送される。
【００２９】
その後、原稿Ｄが下流側の搬送ローラ２７の位置に到着したことが図示省略の検出手段により検出されると、回転駆動される搬送ローラ２７と該搬送ローラ２７に圧接されて従動回転する第１プレスローラ２８によりさらに搬送経路２６の下流側に搬送される。この際、セパレートローラ１８による原稿Ｄの搬送速度よりも搬送ローラ２７による原稿Ｄの搬送速度の方がより高速に設定されており、原稿Ｄが搬送ローラ２７により搬送を開始されると、セパレートローラ１８には引張力が作用することになる。そして、セパレートローラ１８に対し、原稿Ｄによる引張力が作用すると、各セパレートローラ１８やピックアップローラ２１にそれぞれ備えられたワンウェイ機構（不図示）によりセパレートローラ１８やピックアップローラ２１は空転状態となる。
【００３０】
その後、原稿Ｄは搬送経路２６に沿って案内され、第２プレスローラ２９位置を経由して、ガラス等の透明部材で構成される読取部３の原稿読取面３０上を通過する。この原稿読取面３０上を原稿Ｄが通過するタイミングを図示省略の検出手段により検出し、読取ケース７内の読取装置８により原稿Ｄの内容が原稿読取面３０を通じて読み取られ、その後、排出ローラ３１および第３プレスローラ３２により排出経路３３を通じて原稿排出トレイ１４へ排出される。
【００３１】
一方、搬送ローラ２７により搬送される原稿Ｄの後端がセパレートローラ１８およびピックアップローラ２１の下流側へ搬送されると、セパレートローラ１８およびピックアップローラ２１の回転速度は初期の速度へ戻り、原稿供給トレイ１３に積載された原稿Ｄを再度繰り出し、前述同様の動作を繰り返す。そして、原稿供給トレイ１３に積載された原稿Ｄが全て繰り出されて原稿排出トレイ１４へ排出されると、自動原稿搬送装置１０はその動作を停止する。
【００３２】
ところで、この実施の形態では、自動原稿搬送装置１０のケース５０は、図２の様に、ケース本体５０ａと、ケース本体５０ａの上面においてその上面の一辺Ｐを中心として開閉可能に構成されたカバー部５０ｂとに分離構成される。そしてケース本体５０ａ側に、原稿供給トレイ１３および第１プレスローラ２８を除く搬送装置１２が配設され、カバー部５０ｂの内側面に給紙装置１１および搬送装置２６の第１プレスローラ２８が配設されている。そしてカバー部５０ｂを閉じることにより、上記の各構成部品の配置関係が図２の様な配置関係となる。
【００３３】
図３は、カバー部５０ｂの内側面の主要部品の配設状態を示した概略斜視図である。
【００３４】
図３の様に、カバー部５０ｂの内側面には、セパレートローラ回転軸１８ａを回転自在に支持する支持部５１およびセパレートローラ回転軸１８ａを回転自在に当接保持する保持部５２が立設されている。そしてセパレートローラ回転軸１８ａは、支持部５１に設けられた軸通孔５１ａに軸受け５３ａを介して軸通されることで支持部５１により回転自在に支持されると共に、保持部５２の上部に形成された凹部に軸受け５３ｂを介してセパレートローラ回転軸１８ａを嵌合することで保持部５２により回転自在に当接保持されている。
【００３５】
また、カバー部５０ｂの内側面には、プレスローラ回転軸２８ａを回転自在に支持する支持部５５が立設されている。そしてプレストローラ回転軸２８ａは、支持部５５に設けられた軸通孔５５ａに軸通されることで回転自在に支持される。
【００３６】
また、カバー部５０ｂの内側面には、セパレートローラ回転軸１８ａとプレスローラ回転軸２８ａとの相互間の電気的導通を取るための軸間導通部品７０（図５参照）が配設されている。
【００３７】
軸間導通部品７０は、それぞれ導電性部材により形成された軸受け７１と板バネ（導電用板バネ）７２とから構成される。
【００３８】
軸受け７１は、図４および図５の様に、筒状の軸受け本体７１ａの外周にフランジ部７１ｂが突出形成されており、その内部にセパレートローラ回転軸１８ａが回転自在に挿通される。
【００３９】
板バネ７２は、図５の様に、例えば細長矩形状に形成されており、その一端側７２ｅが軸受け７１を着脱自在に巻き込む様に弧状に曲成され（より詳細には、図６を参照して、その一端側７２ｅが他端側７２ｆに円弧状に曲げ返されると共にその一端側７２ｅの先端７２ｇが外側に屈曲状に折り返される様に形成され）、且つその一端側７２ｅに軸受け７１のフランジ部７１ｂが嵌合するスリット７２ｈが形成されている。
【００４０】
この板バネ７２は、その中央部７２ａがカバー部５０ｂに固定され（ここではその中央部７２ａに孔７２ｃ（図６参照）が形成され、その孔７２ｃを介してカバー部５０ｂの取付部５０ｃにネジ７２ｄでネジ固定され）、その一端側７２ｅが、セパレートローラ回転軸１８ａに装着された軸受け７１をその一端側７２ｅのスリット７２ｈと軸受け７１のフランジ部７１ｂとが嵌合するように巻き込み、その他端側７２ｆがプレスローラ回転軸２８ａに導電状に当接され（ここでは、プレスローラ回転軸２８ａの下側から板バネ７２の弾性力により導電状に当接され）る様にして、カバー部５０ｂに配設されている。
【００４１】
尚、図５では、板バネ７２は、カバー部５０ｂの内側面の凹凸に応じて折曲しているが、カバー部５０ｂの内側面の凹凸に応じて予め屈曲させておいてもよく、または図６の様に屈曲していない板バネ７２を準備し、板バネ７２の中央部７２ａをカバー部５０ｂの取付部にネジ固定する際に、図５の様に板バネ７２をカバー部５０ｂの内側面の凹凸に応じて折曲させてもよい。
【００４２】
この軸間導通部品７０（板バネ７２および軸受け７１）の組み付け方の一例を説明する。
【００４３】
まずセパレートローラ回転軸１８ａを上記の様にカバー部５０ｂの内側面に配設する際に、セパレートローラ回転軸１８ａの外周に軸受け７１を装着しておく。
【００４４】
そしてセパレートローラ回転軸１８ａおよびプレスローラ回転軸２８ａがカバー部５０ｂの内側面に上記の様に配設された状態で、板バネ７２の他端側７２ｆをプレスローラ回転軸２８ａの下側に潜り込ませておき（図５参照）、そして板バネ７２の一端側７２ｅの弧状の曲成部分を（例えば先端７２ｇを外側に押し上げることで）径拡大方向に弾性的に広げて、その曲成部分内に、軸受け７１のフランジ部７１ｂが板バネ７２のスリット７２ｈに嵌合する様にして、セパレートローラ回転軸１８ａに装着された軸受け７１を巻き込ませる。そしてこの状態で、板バネ７２の中央部７２ａをカバー部５０ｂの取付部５０ｃにネジ固定する。この様にしてカバー部５０ｂに軸間導通部品７０が組み付けられる。
【００４５】
この取付状態では、軸受け７１のフランジ部７１ｂと板バネ７２のスリット７２ｈとの嵌合により軸受け７１は軸方向の移動が規制される。そして、板バネ７２の一端側７２ｅ側では、板バネ７２により、軸受け７１を介してセパレートローラ回転軸１８ａが回転自在且つ導電状に支持され、他方、板バネ７２の他端側７２ｆ側では、プレスローラ回転軸２８ａが回転自在且つ導電状に板バネ７２と当接している。
【００４６】
尚、ケース本体５０ａ側には、セパレートローラ回転軸１８ａのアースを取るためのアース回路（不図示）が設けられている。そしてカバー部５０ｂを閉じると、カバー部５０ｂに配設されたセパレートローラ回転軸１８ａの一部（例えば一端部１８ｂ（図３参照））がケース本体５０ａ側の前記アース回路の所定の当接部に導電状に当接して、セパレートローラ回転軸１８ａが前記アース回路を介してアースされると共に、そのセパレートローラ回転軸１８ａと軸間導通部品７０を介して電気的に導通しているプレスローラ回転軸２８ａもアースされる。尚、ここでは、セパレートローラ回転軸１８ａおよびプレスローラ回転軸２８ａは、導電性部材で形成されている。
【００４７】
以上の様に構成されたファクシミリ装置１によれば、回転自在に配設されたセパレートローラ回転軸１８ａと、その外周にフランジ部７１ｂが突出形成されその内部にセパレートローラ回転軸１８ａが回転自在に挿通される筒状の軸受け７１と、その一端側７２ｅが軸受け７１を着脱自在に巻き込む様に曲成されると共にその一端側７２ｅに軸受け７１のフランジ部７１ｂが嵌合するスリット７２ｈが形成された板バネ７２とを備えた構成なので、簡単な構造で且つ組付容易に、軸受け７１の軸方向の移動を規制した状態で、板バネ７２をセパレートローラ回転軸１８ａに装着された軸受け７１に組み付ける事ができる。
【００４８】
また、セパレートローラ回転軸１８ａと軸受け７１と板バネ７２とが電気的に導通されているので、板バネ７２とセパレートローラ回転軸１８ａとの相互間の電気的導通を確保できる。
【００４９】
また、軸受け７１は導通性部材により形成されるので、簡単な手法で軸受けに導通性能を持たす事ができて、板バネ７２とセパレートローラ回転軸１８ａとの相互間の電気的導通を確保できる。
【００５０】
また、回転自在に配設され、原稿を一枚ずつ給紙するためのセパレートローラ１８が装着されたセパレートローラ回転軸１８ａと、回転自在に配設され、セパレートローラ１８により給紙された原稿を搬送する搬送ローラ２７に圧接して従動回転する第１プレスローラ２８が装着されたプレスローラ回転軸２８ａと、セパレートローラ回転軸１８ａに装着された軸受け７１と、その一端側７２ｅが上記の様にして軸受け７１に組み付けられると共に、その他端側７２ｆがプレスローラ回転軸２８ａに導電状に当接する様に配設された板バネ７２とを備えた構成なので、上記同様、簡単な構造で且つ組付容易に軸受け７１の軸方向の移動を規制した状態で板バネ７２を軸受け７１に組み付ける事ができると共に、板バネ７２を介してセパレートローラ回転軸２８ａとプレスローラ回転軸１８ａとの相互間の電気的導通を確保できる。
【図面の簡単な説明】
【００５１】
【図１】本発明の実施の形態に係るファクシミリ装置の斜視図である。
【図２】図１のファクシミリ装置における自動原稿搬送装置の断面概略図である。
【図３】自動原稿搬送装置のカバー部の内側面の部品配設状態を示した概略斜視図である。
【図４】本発明に係る軸受け支持構造を構成する受け軸の側面視図である。
【図５】本発明に係る軸受け支持構造を構成する板バネの配設状態を示した斜視図である。
【図６】本発明に係る軸受け支持構造を構成する板バネの斜視図である。
【符号の説明】
【００５２】
１０  自動原稿搬送装置
１８ａ  セパレートローラ回転軸
２８ａ  プレスローラ回転軸
５０  ケース
５０ａ  ケース本体
５０ｂ  カバー部
７０  軸間導通部品
７１  軸受け
７１ａ  軸受け本体
７１ｂ  フランジ部
７２  板バネ
７２ｅ  一端側
７２ｆ  他端側
７２ｇ  一端側の先端
７２ｈ  スリット
【図１】
2007276954.tif 000003
【図２】
2007276954.tif 000004
【図３】
2007276954.tif 000005
【図４】
2007276954.tif 000006
【図５】
2007276954.tif 000007
【図６】
2007276954.tif 000008